(57)【特許請求の範囲】
【請求項１】
泥濃式または泥土圧式推進工事により生じる泥土を連続的に吸い上げて貯留するための連続レシーバタンクと、
連続レシーバタンクに貯留された泥土を連続的に送出するための泥土輸送手段と、
泥土輸送手段により輸送されてくる泥土を礫、砂、土等に分ける泥土分級機とを有し、
前記泥土分級機は、泥土を乗せるメッシュスクリーンを備えた振動篩と、
メッシュスクリーン上の泥土に対して散水を行うシャワー装置とを有することを特徴とする泥濃式または泥土圧式推進工法における排泥処理設備。
【請求項２】
前記シャワー装置は、
振動篩のメッシュスクリーンを通過した泥水を溜める調整槽と、
調整槽内に溜められた泥水を取り出し、メッシュスクリーン上の泥土に対して散布する循環式シャワー装置とを含むことを特徴とする請求項１記載の泥濃式または泥土圧式推進工法における排泥処理設備。
【請求項３】
前記振動篩は、泥土輸送装置より輸送されてくる泥土が与えられる相対的に粗いメッシュスクリーンを備えた１次分離用振動篩と、
１次分離用振動篩を通過して調整槽に溜まった泥土が取り出されて与えられる相対的に細かいメッシュスクリーンを備えた２次分離用振動篩とを含むことを特徴とする、請求項２記載の泥濃式または泥土圧式推進工法における排泥処理設備。
【請求項４】
前記シャワー装置は、１次分離用振動篩に対して散水を行う噴射口と、２次分離用振動篩に対して散水を行う噴射口とを有することを特徴とする請求項３記載の泥濃式または泥土圧式推進工法における排泥処理設備。
【請求項５】
前記シャワー装置は、泥土輸送装置が泥土分級機へ搬送する泥土に対して散水を行う噴射口をさらに有することを特徴とする、請求項１ないし４のいずれかに記載の泥濃式または泥土圧式推進工法における排泥処理設備。
【請求項６】
泥濃式または泥土圧式推進工事により生じる泥土を礫、砂、土等に分ける排泥処理設備であって、
泥土を乗せるメッシュスクリーンを備えた振動篩と、
メッシュスクリーン上の泥土に対して散水を行うシャワー装置とを有することを特徴とする泥濃式または泥土圧式推進工法における排泥処理設備。
【発明の詳細な説明】
【０００１】
【発明の属する技術分野】
この発明は、泥濃式または泥土圧式推進工法における排泥処理設備に関する。
【０００２】
【従来の技術】
近年発注・施工されている推進工事の中で、泥濃式または泥土圧式推進工事が圧倒的多数を占めている。泥濃式または泥土圧式推進工事では、通常、施工に伴い発生する切削残土（排泥）は、バキューム車等によって運搬され、建設汚泥として産廃処理されている。昨今では、この産業廃棄物の処分・再生使用が資源環境問題となっており、建設業界は、この問題への早急な対策が迫られている。
【０００３】
【発明が解決しようとする課題】
泥濃式または泥土圧式推進工法により発生する泥土（排泥）は、通常、固化処理による処分方法か、泥水と土砂の分離処理による処分方法が行われている。
前者は処理プラントの敷地が必要で、しかも固化するための改良剤等の薬剤も必要であり、処理コストが高価であるという課題がある。
後者は、分離された土砂を再使用したり、一般残土処分をすることができ、産業廃棄物の量を減らせることから好ましい処理であるが、これを実現するシステムが確立されているわけではない。
【０００４】
この発明は、かかる背景のもとになされたもので、泥濃式または泥土圧式推進工法により発生する泥土を、泥水と土砂とに分離して再利用を図り、泥濃式または泥土圧式推進工法において生じる産業廃棄物を減らすことのできる排泥処理設備を提供することを主たる目的とする。
【０００５】
【課題を解決するための手段および発明の効果】
請求項１記載の発明は、泥濃式または泥土圧式推進工事により生じる泥土を連続的に吸い上げて貯留するための連続レシーバタンクと、連続レシーバタンクに貯留された泥土を連続的に送出するための泥土輸送手段と、泥土輸送手段により輸送されてくる泥土を礫、砂、土等に分ける泥土分級機とを有し、前記泥土分級機は、泥土を乗せるメッシュスクリーンを備えた振動篩と、メッシュスクリーン上の泥土に対して散水を行うシャワー装置とを有することを特徴とする泥濃式または泥土圧式推進工法における排泥処理設備である。
【０００６】
請求項２記載の発明は、前記シャワー装置は、振動篩のメッシュスクリーンを通過した泥水を溜める調整槽と、調整槽内に溜められた泥水を取り出し、メッシュスクリーン上の泥土に対して散布する循環式シャワー装置とを含むことを特徴とする請求項１記載の泥濃式または泥土圧式推進工法における排泥処理設備である。
請求項３記載の発明は、前記振動篩は、泥土輸送装置より輸送されてくる泥土が与えられる相対的に粗いメッシュスクリーンを備えた１次分離用振動篩と、１次分離用振動篩を通過して調整槽に溜まった泥土が取り出されて与えられる相対的に細かいメッシュスクリーンを備えた２次分離用振動篩とを含むことを特徴とする、請求項２記載の泥濃式または泥土圧式推進工法における排泥処理設備である。
【０００７】
請求項４記載の発明は、前記シャワー装置は、１次分離用振動篩に対して散水を行う噴射口と、２次分離用振動篩に対して散水を行う噴射口とを有することを特徴とする請求項３記載の泥濃式または泥土圧式推進工法における排泥処理設備である。
請求項５記載の発明は、前記シャワー装置は、泥土輸送装置が泥土分級機へ搬送する泥土に対して散水を行う噴射口をさらに有することを特徴とする、請求項１ないし４のいずれかに記載の泥濃式または泥土圧式推進工法における排泥処理設備である。
【０００８】
請求項６記載の発明は、泥濃式または泥土圧式推進工事により生じる泥土を礫、砂、土等に分ける排泥処理設備であって、泥土を乗せるメッシュスクリーンを備えた振動篩と、メッシュスクリーン上の泥土に対して散水を行うシャワー装置とを有することを特徴とする泥濃式または泥土圧式推進工法における排泥処理設備である。
請求項１，６の構成によれば、シャワー装置により、振動篩のメッシュスクリーン上に乗せられた泥土に対して散水が行われるから、振動篩によって泥土中の礫や砂をふるい分け、細かな砂や土等をメッシュスクリーンを通過させ際に、メッシュスクリーンが目詰まりすることなく、良好なふるい分けが行える。
【０００９】
請求項２の構成では、シャワー装置が調整槽に溜められた泥水を汲み出してメッシュスクリーン上に散布する循環式シャワー装置であるから、調整槽内に溜められた泥水の有効利用が図れ、システマチックな排泥処理設備とすることができる。
請求項３の構成では、振動篩が１次分離用および２次分離用の２種類とされており、泥濃式または泥土圧式推進工事により生じる泥土を、礫成分と、砂成分とに分類でき、それぞれを再利用することができる。
【００１０】
請求項４に記載のように、シャワー装置が各振動篩のメッシュスクリーン上に散水を行う構成とすることにより、いずれのメッシュスクリーンにおいても土砂等による目詰まりが生じにくく、排泥処理設備は、最小限のメンテナンスで長時間連続的に動作し得る。
特に、請求項５のように泥土輸送装置から泥土分級機に送り出されてくる泥土の送り出し部分にシャワー装置による散水を施すことで、振動篩に与えられる泥土をほぐすことができ、振動篩に与えられる泥土がメッシュスクリーン上で良好に広がって篩にかけられる。また、その際、メッシュスクリーンの目詰まりも少なくなる。
【００１１】
以上のように、この発明では、泥濃式または泥土圧式推進工法による排泥処理設備において、泥水式推進工法で利用されていた泥土分級機を利用し、その泥土分級機にシャワー装置を付加するという改良を施すことにより、泥濃式または泥土圧式推進工事により生じる泥土を礫、砂、土等に分けることができ、しかもその動作が良好な排泥処理設備を提供することができる。
【００１２】
【発明の実施の形態】
以下には、図面を参照して、この発明の一実施形態について具体的に説明をする。
図１は、この発明の一実施形態に係る泥濃式または泥土圧式推進工法のシステム系統図である。泥濃式または泥土圧式推進工法では、地表面１から発進立坑２を堀り、発進立坑２から掘進機４により地山３に横方向に所定の径の孔を堀り進んでいく。掘進機４が掘削を行うことにより生じる掘削残土は、礫分離装置５に与えられて、大礫分が取り除かれる。取り除かれた大礫分は、礫破壊装置６により破壊されて細かくされ、礫分離装置１を通過した掘削残土と一緒にされ、排土混合装置７において泥土および礫分が混練される。混練された排泥は、排土送泥管８を通って地表面１上に設置されたこの発明の一実施形態に係る排泥処理設備１０に与えられる。
【００１３】
排泥処理設備１０には、連続レシーバタンク１１と、泥土輸送装置としてのスクリューフィーダ１２と、泥土分級機１３とが含まれている。なお図示したダンプカーは、泥土分級機１３で分けられた礫や砂等を再利用のために運搬する。
図２に、排泥処理設備１０のより詳細な構成を示す。連続レシーバタンク１１は、真空吸引装置を有し、真空吸引によって排土送泥管８（図１参照）を通して泥濃式または泥土圧式推進工事により生じた泥土（排泥）を吸い上げ、それを貯留する。
【００１４】
連続レシーバタンク１１に貯留された泥土は、泥土定量打設装置１４によって、連続かつ定量的にスクリューフィーダ１２へ与えられる。スクリューフィーダ１２では、与えられる泥土を順次泥土分級機１３へと送る。泥土分級機１３には、１次分離用振動篩１５および２次分離用振動篩１６が備えられている。１次分離用振動篩１５には粗いメッシュスクリーン１７が備えられていて、この粗いメッシュスクリーン１７上に泥土が乗せられ、当該メッシュスクリーン１７が横方向に振動されることによって、泥土中の比較的大きな礫成分がメッシュスクリーン１７上に残り、他の泥土成分はメッシュスクリーン１７を通過して下方に落下し、比較的大きな礫成分が分離される。
【００１５】
２次分離用振動篩１６は、１次分離用振動篩１５の上方に配置されていて、１次分離用振動篩１５のメッシュスクリーン１７に比べて相対的に細いメッシュスクリーン１８を有する。２次分離用振動篩１６では、細いメッシュスクリーン１８が横方向に振動され、その上に乗せられた泥土から砂分が分離されて取り出される。細いメッシュスクリーン１８を通過した泥土成分は１次分離用振動篩１５のメッシュスクリーン１７上に達し、さらにそれを通過して下方へ落下する。
【００１６】
スクリューフィーダ１２の出口から出る泥土を１次分離用振動篩１５のメッシュスクリーン１７上に案内するための誘導樋１９も備えられている。
泥土分級機１３の下方には、メッシュスクリーン１７を通過して落下する泥土を溜める調整槽２０が備えられている。調整槽２０内は仕切り板２１で仕切られている。仕切り板２１は、調整槽２０内において泥土と泥水とを分離するためのもので、下方部分はたとえば鋼板製の仕切り板２１ａ、上方部分は液体成分が通過できるようにたとえばメッシュ製の仕切り板２１ｂとなっている。
【００１７】
調整槽２０に溜まった泥土は、２次処理用送出管２２によって取り出され、放出口２３から２次分離用振動篩１６のメッシュスクリーン１８上に放出される。この排泥処理設備１０の特徴は、調整槽２０に溜まった泥水を汲み出して、泥土分級機１３の振動篩１５，１６等へ散水するシャワー装置２４が備えられていることである。
すなわち、調整槽２０には、溜まった泥水を汲み出すための汲み出し管２５が連結されている。汲み出し管２５は、調整槽２０内の仕切り板２１で仕切られた泥水が貯留される側に接続されている。汲み出し管２５で汲み出される泥水は、噴射口２６〜３０から噴射される。噴射口２６および２７は、１次分離用振動篩１５の粗いメッシュスクリーン１７上の泥土に対して散水を行うための噴射口である。噴射口２８は、スクリューフィーダ１２の出口から振動篩１５へ案内される誘導樋１９上の泥土に対して散水を行う噴射口である。噴射口２９，３０は、２次分離用振動篩１６の細かいメッシュスクリーン１８上の泥土に対して散水を行う噴射口である。
【００１８】
なお、図２において３１は調整槽２０内の泥水を撹拌するための撹拌装置である。
このように泥水をメッシュスクリーン１７，１８上の泥土およびスクリューフィーダ１２から振動篩１５へ案内される泥土に対して散水することによって、メッシュスクリーン１７，１８上での泥土の分離が良好に行えるようになる。また、メッシュスクリーン１７，１８の目詰まりが生じにくくなる。
【００１９】
従って、泥濃式または泥土圧式推進工法により生じる泥土を、泥水式推進工法により生じる泥土分離用の分級機を利用して、礫、砂、土等に分けることができる。
１次分離用振動篩１５で分離された比較的大きな礫成分および２次分離用振動篩１６で分離された比較的小さな成分、すなわち砂成分は、それぞれ、再使用することができる。
【００２０】
さらに、調整槽２０に溜められた泥水は、上述のようにシャワー装置２４によって泥土分級機への散水として活用できる他、泥水は、図１で説明した掘進機４の切刃への送泥水としての再使用もできる。
次いで、図３に示す変更された実施態様においては、連続レシーバタンク１１に貯留された泥土は、泥土輸送管１２ａにて順次泥土分級機１３へと送られるようになっている。
【００２１】
また調整漕２０には汲み出し管２５のほか、泥水戻し用の輸送管３２が連結されていて、連続レシーバタンク１１の上下へと輸送管３２から泥水戻し用の輸送分岐管３２ａ，３２ｂを経て、泥水を戻せるように実施し、タンク内の泥土を、戻された泥水にて希釈できるようにして分級のための事前の補助を果たしている。その他の構成については、先に説明した実施形態と同様である。
以上説明した各実施形態によれば、産廃処理量の減少と、泥水の再使用により作泥材使用量の減少を実現でき、施工コストの低減が図れる等の種々の効果を奏する。
【００２２】
この発明は、以上説明した実施形態に限定されるものではなく、請求項記載の範囲内において種々の変更が可能である。
【図面の簡単な説明】
【図１】この発明の一実施形態に係る泥濃式または泥土圧式推進工法のシステム系統図である。
【図２】この発明の一実施形態に係る排泥処理設備の詳細な構成を示す図である。
【図３】この発明の実施形態の変更例の構成を示す図である。
【符号の説明】
１０    排泥処理設備
１１    連続レシーバタンク
１２    スクリューフィーダ（泥土輸送装置）
１２ａ  泥土輸送管
１３    泥土分級機
１５    １次分離用振動篩
１６    ２次分離用振動篩
１７    粗いメッシュスクリーン
１８    細かいメッシュスクリーン
１９    誘導樋
２０    調整槽
２１    仕切り板
２４    シャワー装置
２５    汲み出し管
２６，２７，２８，２９，３０    噴射口
３２    泥水戻し用の輸送管
３２ａ，３２ｂ  泥水戻し用の輸送分岐管
【図１】
0003813901.tif 000002
【図２】
0003813901.tif 000003
【図３】
0003813901.tif 000004